(57)【要約】【課題】外径を大型化することなく放射性物質の収納効率を高めつつ、遮蔽能力および強度を確保すること。【解決手段】断面正方形状の外形を有する有底角筒をなし、その筒内に、放射性物質が収容された円柱形状の複数の収容容器１０を、中心線を平行とし、かつ断面正方形状の各辺に沿って並べて収納する収納部２１を有した容器本体２と、容器本体２の開口部を塞いで収納部２１を密閉する蓋と、を備える。そして、容器本体２は、各収容容器１０の円柱形状の外周面に沿う内側面２１ａと、隣接する各収容容器１０の間に向けて突出した側部突起２１ｂとが、収納部２１の側壁に同一材料により継目なく形成されている。【選択図】図２
2011043381.tif 000002
【特許請求の範囲】
【請求項１】
断面正方形状の外形を有する有底角筒をなし、その筒内に、放射性物質が収容された円柱形状の複数の収容容器を、中心線を平行とし、かつ断面正方形状の各辺に沿って並べて収納する収納部を有した容器本体と、
前記容器本体の開口部を塞いで前記収納部を密閉する蓋と、
を備え、
前記容器本体は、各前記収容容器の円柱形状の外周面に沿う内側面と、隣接する各前記収容容器の間に向けて突出した側部突起とが、前記収納部の側壁に同一材料により継目なく形成されていることを特徴とする放射性物質収納容器。
【請求項２】
前記容器本体は、前記収納部の底壁に、各前記収容容器に囲まれた領域で各前記収容容器の間に向けて突出した底部突起が形成されていることを特徴とする請求項１に記載の放射性物質収納容器。
【請求項３】
前記蓋は、その内壁に凸部を有し、
当該凸部は、前記蓋が前記容器本体の開口部を塞いだ際に前記収納部内に挿入され、各前記収容容器に対向するように設けられていることを特徴とする請求項１または２に記載の放射性物質収納容器。
【請求項４】
前記凸部は、前記蓋が前記容器本体の開口部を塞いだ際に、前記容器本体の内側面および側部突起に沿いつつ前記収納部内に挿入され、各前記収容容器に対向するように設けられていることを特徴とする請求項３に記載の放射性物質収納容器。
【請求項５】
前記蓋は、その内壁に、各前記収容容器の円柱形状の上方外周面に沿う上方内側面と、隣接する各前記収容容器の間に向けて突出した上方側部突起とを有する凹部が形成されていることを特徴とする請求項１または２に記載の放射性物質収納容器。
【請求項６】
前記蓋は、前記凹部内に、各前記収容容器に囲まれた領域で各前記収容容器の間に向けて突出した上部突起が形成されていることを特徴とする請求項５に記載の放射性物質収納容器。
【発明の詳細な説明】
【技術分野】
【０００１】
本発明は、放射性物質の輸送や貯蔵に用いられる放射性物質収納容器に関する。
【背景技術】
【０００２】
従来、例えば、特許文献１では、核燃料物質などを輸送するため、ガンマ線または中性子などを遮蔽する放射性物質収納容器（輸送用容器）が示されている。この放射性物質収納容器は、従前の円筒状の容器と同等の外径で角筒状に容器を形成したものである。かかる放射性物質収納容器は、円柱状の放射性収納物を収納した場合、円筒状の容器で７個収納していたものを、９個収納することで、収納効率を高め、結果として小型化および軽量化を図ろうとしている。
【先行技術文献】
【特許文献】
【０００３】
【特許文献１】特開２０００−１３１４９１号公報
【発明の概要】
【発明が解決しようとする課題】
【０００４】
しかしながら、特許文献１の放射性物質収納容器では、従前の円筒状の容器に対して放射性収納物の収納量が増している。このため、放射線量の増加に伴う遮蔽能力の増強や、重量の増加に伴う落下事故に対する強度向上を図ることが必要である。
【０００５】
本発明は上述した課題を解決するものであり、外径を大型化することなく放射性物質の収納効率を高めつつ、遮蔽能力および強度を確保することのできる放射性物質収納容器を提供することを目的とする。
【課題を解決するための手段】
【０００６】
上述の目的を達成するために、本発明の放射性物質収納容器では、断面正方形状の外形を有する有底角筒をなし、その筒内に、放射性物質が収容された円柱形状の複数の収容容器を、中心線を平行とし、かつ断面正方形状の各辺に沿って並べて収納する収納部を有した容器本体と、前記容器本体の開口部を塞いで前記収納部を密閉する蓋と、を備え、前記容器本体は、各前記収容容器の円柱形状の外周面に沿う内側面と、隣接する各前記収容容器の間に向けて突出した側部突起とが、前記収納部の側壁に同一材料により継目なく形成されていることを特徴とする。
【０００７】
この放射性物質収納容器によれば、断面円形状の外形を有する有底円筒の放射性物質収納容器に対し、同等の外径とし、外周面から収納部に至る最も薄い壁厚を同等の厚さとして構成したうえで、水平断面内での収容容器の収納量を増すことが可能になる。しかも、この放射性物質収納容器によれば、各収容容器の円柱形状の外周面に沿う内側面と、隣接する各収容容器の間に向けて突出した側部突起とが収納部の側壁に形成されていることで、断面正方形状の外形に沿う正方形状の内側面を有する収納部が形成された構成に対し、外周面から収納部に至る壁厚がさらに厚く形成された厚さの部分を有することになる。このため、容器本体の外径を外側に拡大して大型化することなく、放射性物質から放出される放射線（特に、γ線）を遮蔽するに十分な壁厚に増強することが可能になる。さらに、この放射性物質収納容器によれば、内側面と側部突起とが収納部の側壁に同一材料により継目なく形成されていることで、壁厚が厚くなって剛性が向上する。さらにまた、この放射性物質収納容器によれば、各収容容器の円柱形状の外周面に沿う内側面と、隣接する各収容容器の間に向けて突出した側部突起とが収納部の側壁に形成されていることで、収容容器を収納部内で保持することが可能であり、放射性物質収納容器の落下時などに、収納部内で収容容器が跳ね上がったり、大きく位置がずれたりする事態を抑制して安定した状態を維持し、収容容器の荷重による放射性物質収納容器の損傷を抑えることが可能になる。この結果、本発明の放射性物質収納容器によれば、外径を大型化することなく放射性物質の収納効率を高めつつ、収納効率を高めたことに伴う必要十分な遮蔽能力および強度を確保できる。
【０００８】
また、本発明の放射性物質収納容器では、前記容器本体は、前記収納部の底壁に、各前記収容容器に囲まれた領域で各前記収容容器の間に向けて突出した底部突起が形成されていることを特徴とする。
【０００９】
この放射性物質収納容器によれば、通常、放射性物質を収容する収容容器は、遠隔で容器本体に対して吊り下ろすが、この際、底部突起によって収容容器を位置決めできる。しかも、底部突起は、収納部の底壁から突出して容器本体の壁厚を増すものであるから、収容容器の位置決めに加え、放射性物質から放出される放射線（特に、γ線）を遮蔽するに十分な壁厚に増強できる。
【００１０】
また、本発明の放射性物質収納容器では、前記蓋は、その内壁に凸部を有し、当該凸部は、前記蓋が前記容器本体の開口部を塞いだ際に前記収納部内に挿入され、各前記収容容器に対向するように設けられていることを特徴とする。
【００１１】
この放射性物質収納容器によれば、凸部により、収容容器を収納部内でさらに保持することが可能であり、放射性物質収納容器の落下時などに、収納部内で収容容器が跳ね上がったり、大きく位置がずれたりする事態をさらに抑制して安定した状態を維持し、収容容器の荷重による放射性物質収納容器の損傷をより抑えることができる。
【００１２】
また、本発明の放射性物質収納容器では、前記凸部は、前記蓋が前記容器本体の開口部を塞いだ際に、前記容器本体の内側面および側部突起に沿いつつ前記収納部内に挿入され、各前記収容容器に対向するように設けられていることを特徴とする。
【００１３】
この放射性物質収納容器によれば、凸部により、収容容器を収納部内でさらに保持することが可能であり、放射性物質収納容器の落下時などに、収納部内で収容容器が跳ね上がったり、大きく位置がずれたりする事態をさらに抑制して安定した状態を維持し、収容容器の荷重による放射性物質収納容器の損傷をより抑えることができる。しかも、凸部が内側面および側部突起に沿って形成されているから、容器本体への蓋の嵌合精度を向上できる。
【００１４】
また、本発明の放射性物質収納容器では、前記蓋は、その内壁に、各前記収容容器の円柱形状の上方外周面に沿う上方内側面と、隣接する各前記収容容器の間に向けて突出した上方側部突起とを有する凹部が形成されていることを特徴とする。
【００１５】
この放射性物質収納容器によれば、凹部により、収容容器を収納部内でさらに保持することが可能であり、放射性物質収納容器の落下時などに、収納部内で収容容器が跳ね上がったり、大きく位置がずれたりする事態をさらに抑制して安定した状態を維持し、収容容器の荷重による放射性物質収納容器の損傷をより抑えることができる。
【００１６】
また、本発明の放射性物質収納容器では、前記蓋は、前記凹部内に、各前記収容容器に囲まれた領域で各前記収容容器の間に向けて突出した上部突起が形成されていることを特徴とする。
【００１７】
この放射性物質収納容器によれば、上部突起により、収容容器を収納部内でさらに保持することが可能であり、放射性物質収納容器の落下時などに、収納部内で収容容器が跳ね上がったり、大きく位置がずれたりする事態をさらに抑制して安定した状態を維持し、収容容器の荷重による放射性物質収納容器の損傷をより抑えることができる。しかも、上部突起は、蓋の内壁から突出して蓋の壁厚を増すものであるから、収容容器の保持に加え、放射性物質から放出される放射線（特に、γ線）を遮蔽するに十分な壁厚に増強できる。
【発明の効果】
【００１８】
本発明によれば、外径を大型化することなく放射性物質の収納効率を高めつつ、遮蔽能力および強度を確保できる。
【図面の簡単な説明】
【００１９】
【図１】図１は、本発明の実施の形態１に係る放射性物質収納容器の側断面図である。
【図２】図２は、図１におけるＩ−Ｉ断面図である。
【図３】図３は、図１におけるII−II断面図である。
【図４】図４は、図１におけるII−II断面図であって放射性物質を除いた図である。
【図５】図５は、図１におけるIII−III矢視図であって蓋を示す図である。
【図６】図６は、蓋の他の形態を示す図である。
【図７】図７は、本発明に係る放射性物質収納容器と従前の放射性物質収納容器との対比図である。
【図８】図８は、本発明の実施の形態２に係る放射性物質収納容器の側断面図である。
【図９】図９は、蓋の側断面図である。
【図１０】図１０は、図８におけるIV−IV矢視図であって蓋を示す図である。
【発明を実施するための形態】
【００２０】
以下に、本発明に係る実施の形態を図面に基づいて詳細に説明する。なお、この実施の形態によりこの発明が限定されるものではない。また、下記実施の形態における構成要素には、当業者が置換可能かつ容易なもの、あるいは実質的に同一のものが含まれる。
【００２１】
［実施の形態１］
実施の形態１の放射性物質収納容器１は、放射性物質を輸送または貯蔵するためのものである。ここで、放射性物質とは、再処理プラントにおける高レベル放射性廃棄物ガラス固化体や、原子炉から取り出された使用済燃料や、新しく製造されて原子炉に装荷される燃料などを示す。この放射性物質は、金属（例えば、ステンレス）製で円筒形状のキャニスタなどの収容容器１０に収容され、全体として円柱形状に形成されている。そして、放射性物質収納容器１は、放射性物質が収容された収容容器１０を複数収納するため、容器本体２と、蓋３とを備えている。
【００２２】
容器本体２は、金属製で、好ましくは炭素鋼製のものであって、切削、鋳造または鍛造により同一材料により継目なく一塊として一体に形成され、図１〜図４に示すように、水平断面が正方形状の外形を有する有底角筒をなしている。そして、容器本体２は、その筒内である収納部２１に、円柱形状の複数（本実施の形態では９個）の収容容器１０を、中心線１０ａを平行とし、かつ断面正方形状の各辺に沿って各収容容器１０を並べて収納する。なお、本実施の形態の容器本体２では、上述のごとく水平に並べて収納された９個の収容容器１０を、上下３段に重ねて収納部２１に収納するように図示されているが、少なくとも１段あればよい。
【００２３】
この容器本体２は、図２〜図４に示すように、各収容容器１０の円柱形状の外周面に沿う内側面２１ａと、隣接する各収容容器１０の間に向けて突出した側部突起２１ｂとが、収納部２１の側壁に同一材料により継目なく一塊として形成されている。すなわち、内側面２１ａおよび側部突起２１ｂは、複数の収容容器１０の周囲を覆う収納部２１の側壁をなす。そして、内側面２１ａは収容容器１０の円柱形状の外周面に沿って湾曲した面として形成されている。また、側部突起２１ｂは、内側面２１ａの間で内側面２１ａに連続し、収容容器１０の円柱形状の外周面に沿いつつ、隣接する各収容容器１０の間に入り込む突起として形成されている。この結果、収納部２１の側壁は、収納される各収容容器１０の外形に近似した断面形状をなす。
【００２４】
また、容器本体２は、収納部２１の底壁に、各収容容器１０に囲まれた領域で、各収容容器１０の間に向けて突出した底部突起２１ｃが形成されている。具体的に、収納部２１の底壁は、収容容器１０を載置するように平坦に形成されている。そして、底部突起２１ｃは、各収容容器１０に囲まれた領域で、平坦な底壁にて各収容容器１０の円柱形状の外周に沿って略菱形を呈しつつ、当該平坦な底壁から窄まるように上方（開口部２２側）に突出して形成されている。
【００２５】
蓋３は、金属製で、好ましくは炭素鋼製のものであって、切削、鋳造または鍛造により同一材料で継目なく一塊として一体に形成され、図１に示すように、容器本体２の開口部２２を塞いで収納部２１を密閉するものである。蓋３は、容器本体２に対しガスケット（図示せず）を介して複数のボルト４で固定される。このため、蓋３には、図５に示すように、ボルト４のネジ部が挿通される穴３１が複数形成され、容器本体２には、図２に示すように、開口部２２の周囲にボルト４のネジ部がねじ込まれる雌ネジ穴２３が複数形成されている。
【００２６】
この蓋３は、図５に示すように、収納部２１に向く内壁に、内側面２１ａおよび側部突起２１ｂにて囲まれる収納部２１内に挿入される凸部３２が形成されている。また、凸部３２は、図６に示すように、内側面２１ａおよび側部突起２１ｂに沿う外形をなし、収納部２１内に挿入されるように形成されていてもよい。
【００２７】
このように形成された実施の形態１の放射性物質収納容器１では、断面正方形状の外形を有する有底角筒をなし、その筒内に、放射性物質が収容された円柱形状の複数の収容容器１０を、中心線１０ａを平行とし、かつ断面正方形状の各辺に沿って並べて収納する収納部２１を有した容器本体２と、容器本体２の開口部２２を塞いで収納部２１を密閉する蓋３と、を備えている。そして、容器本体２は、各収容容器１０の円柱形状の外周面に沿う内側面２１ａと、隣接する各収容容器１０の間に向けて突出した側部突起２１ｂとが、収納部２１の側壁に同一材料により継目なく一塊として形成されている。
【００２８】
この放射性物質収納容器１によれば、図７（ａ）および図７（ｂ）に示すように、断面円形状の外形を有する有底円筒で収容容器１０を水平並びに７個収納した放射性物質収納容器１０１に対し、同等の外径Ｔ１とし、外周面から収納部２１に至る最も薄い壁厚を同等の厚さＴ２として構成したうえで、水平断面内での収容容器１０の収納量を水平並び９個に増すことが可能になる。しかも、この放射性物質収納容器１によれば、図７（ａ）に示すように、各収容容器１０の円柱形状の外周面に沿う内側面２１ａと、隣接する各収容容器１０の間に向けて突出した側部突起２１ｂとが収納部２１の側壁に形成されていることで、断面正方形状の外形に沿う正方形状の内側面を有して収容容器１０を水平並びに９個収納する収納部２１’が形成された構成に対し、外周面から収納部２１に至る壁厚の厚さＴ２の部分に加え、壁厚がさらに厚く形成された厚さＴ３，Ｔ４の部分を有することになる。このため、容器本体２の外径を外側に拡大して大型化することなく、放射性物質から放出される放射線（特に、γ線）を遮蔽するに十分な壁厚に増強することが可能になる。
【００２９】
さらに、この放射性物質収納容器１によれば、内側面２１ａと側部突起２１ｂとが収納部２１の側壁に同一材料により継目なく一塊として形成されていることで、壁厚が厚くなって剛性が向上する。ここで、本実施の形態の放射性物質収納容器１が、９ｍの高さから収容容器１０の中心線１０ａを水平として落下した場合を想定する。通常、この種の放射性物質収納容器１には、上下端部に木材などを充填した大外径の緩衝体（図示せず）が装着されているので、落下衝撃を緩和できるが、最初に緩衝体が地面に衝突するため、放射性物質収納容器１には、上下両端を支点とした曲げが発生する。この点、本実施の形態の放射性物質収納容器１によれば、内側面２１ａと側部突起２１ｂとが収納部２１の側壁に同一材料により継目なく一塊として形成され、壁厚が厚くなって剛性が向上されていることから、曲げに耐え得る十分な断面剛性に増強することが可能になる。
【００３０】
しかも、本実施の形態の放射性物質収納容器１が、９ｍの高さから収容容器１０の中心線１０ａを傾斜した方向に落下した場合（例えば蓋３側を下方に向けてから落下した場合）であっても、内側面２１ａと側部突起２１ｂとが収納部２１の側壁に同一材料により継目なく一塊として形成され、壁厚が厚くなって剛性が向上されていることから、十分な断面剛性に増強することが可能になる。
【００３１】
しかも、本実施の形態の放射性物質収納容器１が、１ｍの高さから収容容器１０の中心線１０ａを水平として、垂直に立てた直径１５０ｍｍの鋼棒上に落下した場合であっても、内側面２１ａと側部突起２１ｂとが収納部２１の側壁に同一材料により継目なく一塊として形成され、壁厚が厚くなって剛性が向上されていることから、断面正方形状とした容器本体２の外形の平坦部の変形に耐え得る十分な断面剛性に増強することが可能になる。なお、断面正方形状の各辺に沿って並べて収納された各収容容器１０により、この収容容器１０が断面正方形状とした容器本体２の外形の平坦部に直交する方向に重なることで、当該平坦部の変形に耐え得ることが可能になる。
【００３２】
さらにまた、この放射性物質収納容器１によれば、各収容容器１０の円柱形状の外周面に沿う内側面２１ａと、隣接する各収容容器１０の間に向けて突出した側部突起２１ｂとが収納部２１の側壁に形成されていることで、収容容器１０を収納部２１内で保持することが可能である。ここで、本実施の形態の放射性物質収納容器１が、落下した場合、地面への衝突に際し、収納部２１に収納された収容容器１０が「跳ね上がり」の現象を起こすことで収容容器１０に大きな衝撃荷重が与えられる。この点、本実施の形態の放射性物質収納容器１によれば、内側面２１ａと、側部突起２１ｂとで収納した収容容器１０を収納部２１内で保持することから、放射性物質収納容器１の落下時などに、収納部２１内で収容容器１０が跳ね上がったり、大きく位置がずれたりする事態を最小限に抑制して安定した状態を維持し、収容容器１０の荷重による放射性物質収納容器１の損傷を抑えることが可能になる。
【００３３】
この結果、実施の形態１の放射性物質収納容器１によれば、外径を大型化することなく放射性物質の収納効率を高めつつ、収納効率を高めたことに伴う必要十分な遮蔽能力および強度を確保することが可能になる。
【００３４】
また、実施の形態１の放射性物質収納容器１では、容器本体２は、収納部２１の底壁に、各収容容器１０に囲まれた領域で各収容容器１０の間に向けて突出した底部突起２１ｃが形成されている。
【００３５】
この放射性物質収納容器１によれば、通常、放射性物質を収容する収容容器１０は、遠隔で容器本体２に対して吊り下ろすが、この際、底部突起２１ｃによって収容容器１０を位置決めすることが可能になる。しかも、底部突起２１ｃは、収納部２１の底壁から突出して容器本体２の壁厚を増すものであるから、収容容器１０の位置決めに加え、放射性物質から放出される放射線（特に、γ線）を遮蔽するに十分な壁厚に増強することが可能になる。
【００３６】
また、実施の形態１の放射性物質収納容器１では、蓋３は、その内壁に凸部３２を有している。この凸部３２は、蓋３が容器本体２の開口部２２を塞いだ際に収納部２１内に挿入され、各収容容器１０に対向するように設けられている。
【００３７】
この放射性物質収納容器１によれば、凸部３２により、収容容器１０を収納部２１内でさらに保持することが可能である。この結果、放射性物質収納容器１の落下時などに、収納部２１内で収容容器１０が跳ね上がったり、大きく位置がずれたりする事態をさらに抑制して安定した状態を維持し、収容容器１０の荷重による放射性物質収納容器１の損傷をより抑えることが可能になる。
【００３８】
また、実施の形態１の放射性物質収納容器１では、凸部３２は、蓋３が容器本体２の開口部２２を塞いだ際に、容器本体２の内側面２１ａおよび側部突起２１ｂに沿いつつ収納部２１内に挿入され、各収容容器１０に対向するように設けられている。
【００３９】
この放射性物質収納容器１によれば、凸部３２により、収容容器１０を収納部２１内でさらに保持することが可能である。この結果、放射性物質収納容器１の落下時などに、収納部２１内で収容容器１０が跳ね上がったり、大きく位置がずれたりする事態をさらに抑制して安定した状態を維持し、収容容器１０の荷重による放射性物質収納容器１の損傷をより抑えることが可能になる。しかも、凸部３２が内側面２１ａおよび側部突起２１ｂに沿って形成されているから、容器本体２への蓋３の嵌合精度を向上することが可能である。
【００４０】
なお、実施の形態１の放射性物質収納容器１では、各収容容器１０の円柱形状の外周面に沿う内側面２１ａと、隣接する各収容容器１０の間に向けて突出した側部突起２１ｂとが収納部２１の側壁に形成されている。このため、収納した収容容器１０と収納部２１の側壁との相対する面積を大きくできるので、収容容器１０に収容した放射性物質の熱を、放射性物質収納容器１の外部に放出除去することが可能になる。しかも、内側面２１ａと側部突起２１ｂとが収納部２１の側壁に同一材料により継目なく一塊として形成されているので、容器本体２での熱伝導が良好である。
【００４１】
なお、実施の形態１の放射性物質収納容器１において、内側面２１ａおよび側部突起２１ｂは、必ずしも収納部２１の全長（収容容器１０の中心線１０ａの延在方向）に亘って設けられていなくてもよく、遮蔽能力および強度を確保して必要に応じた箇所に設ければよい。
【００４２】
［実施の形態２］
図８〜図１０に示すように、実施の形態２の放射性物質収納容器１’は、上述した実施の形態１の放射性物質収納容器１に対し、容器本体２’の一部、および蓋３’の構成が異なる。従って、実施の形態２では、実施の形態１と同等部分に同一の符号を付して説明する。
【００４３】
放射性物質収納容器１’は、放射性物質が収容された収容容器１０を複数収納するため、容器本体２’と、蓋３’とを備えている。
【００４４】
容器本体２’は、金属製で、好ましくは炭素鋼製のものであって、切削、鋳造または鍛造により同一材料で継目なく一塊として一体に形成され、図８に示すように、水平断面が正方形状の外形を有する有底角筒をなしている。そして、容器本体２’は、その筒内である収納部２１に、円柱形状の複数（本実施の形態では９個）の収容容器１０を、中心線１０ａを平行とし、かつ断面正方形状の各辺に沿って各収容容器１０を並べて収納する（図２〜図４参照）。なお、本実施の形態の容器本体２’では、上述のごとく並べて収納された９個の収容容器１０を、上下３段に重ねて収納部２１に収納するように図示されているが、少なくとも１段あればよい。
【００４５】
この容器本体２’は、各収容容器１０の円柱形状の外周面に沿う内側面２１ａと、隣接する各収容容器１０の間に向けて突出した側部突起２１ｂとが、収納部２１の側壁に同一材料により継目なく一塊として形成されている。すなわち、内側面２１ａおよび側部突起２１ｂは、複数の収容容器１０の周囲を覆う収納部２１の側壁をなす。そして、内側面２１ａは収容容器１０の円柱形状の外周面に沿って湾曲した面として形成されている。また、側部突起２１ｂは、内側面２１ａの間で内側面２１ａに連続し、収容容器１０の円柱形状の外周面に沿いつつ、隣接する各収容容器１０の間に入り込む突起として形成されている。この結果、収納部２１の側壁は、収納される各収容容器１０の外形に近似した断面形状をなす（図２〜図４参照）。
【００４６】
また、容器本体２’は、収納部２１の底壁に、各収容容器１０に囲まれた領域で、各収容容器１０の間に向けて突出した底部突起２１ｃが形成されている。具体的に、収納部２１の底壁は、収容容器１０を載置するように平坦に形成されている。そして、底部突起２１ｃは、各収容容器１０に囲まれた領域で、平坦な底壁にて各収容容器１０の円柱形状の外周に沿って略菱形を呈しつつ、当該平坦な底壁から窄まるように突出して形成されている。
【００４７】
また、容器本体２’は、収納部２１に収納された収容容器１０の上方部（蓋３’側）が、開口部２２から上方に突出するように形成されている。
【００４８】
蓋３’は、金属製で、好ましくは炭素鋼製のものであって、切削、鋳造または鍛造により同一材料により継目なく一塊として一体に形成され、図８に示すように、容器本体２’の開口部２２を塞いで収納部２１を密閉するものである。蓋３’は、容器本体２’に対しガスケット（図示せず）を介して複数のボルト４で固定される。このため、蓋３’には、図１０に示すように、ボルト４のネジ部が挿通される穴３１が複数形成され、容器本体２’には、図８に示すように、開口部２２の周囲にボルト４のネジ部がねじ込まれる雌ネジ穴２３が複数形成されている。
【００４９】
この、蓋３’は、図９および図１０に示すように、収納部２１に向く内壁に、凹部３３が形成されている。凹部３３は、各収容容器１０の円柱形状の上方外周面に沿う上方内側面３３ａと、隣接する各収容容器１０の間に向けて突出した上方側部突起３３ｂとが、同一材料により継目なく一塊として形成され、開口部２２から突出された収容容器１０の上方部を挿入するものである。すなわち、凹部３３の上方内側面３３ａおよび上方側部突起３３ｂは、複数の収容容器１０の周囲を覆う収納部２１の側壁の一部をなす。そして、上方内側面３３ａは収容容器１０の円柱形状の外周面に沿って湾曲した面として形成されている。また、上方側部突起３３ｂは、上方内側面３３ａの間で上方内側面３３ａに連続し、収容容器１０の円柱形状の外周面に沿いつつ、隣接する各収容容器１０の間に入り込む突起として形成されている。この結果、収納部２１の側壁は、収納される各収容容器１０の外形に近似した断面形状をなす。
【００５０】
また、蓋３’は、凹部３３内の上壁に、各収容容器１０に囲まれた領域で、各収容容器１０の間に向けて突出した上部突起３３ｃが形成されている。具体的に、凹部３３の上壁は、収容容器１０と対向して平坦に形成されている。そして、上部突起３３ｃは、各収容容器１０に囲まれた領域で、平坦な上壁にて各収容容器１０の円柱形状の外周に沿って略菱形を呈し、当該平坦な上壁から下方に突出して形成されている。
【００５１】
このように形成された実施の形態２の放射性物質収納容器１’では、断面正方形状の外形を有する有底角筒をなし、その筒内に、放射性物質が収容された円柱形状の複数の収容容器１０を、中心線１０ａを平行とし、かつ断面正方形状の各辺に沿って並べて収納する収納部２１を有した容器本体２’と、容器本体２’の開口部２２を塞いで収納部２１を密閉する蓋３’と、を備えている。そして、容器本体２’は、各収容容器１０の円柱形状の外周面に沿う内側面２１ａと、隣接する各収容容器１０の間に向けて突出した側部突起２１ｂとが、収納部２１の側壁に同一材料により継目なく一塊として形成されている。
【００５２】
この放射性物質収納容器１’によれば、図７（ａ）および図７（ｂ）に示すように、断面円形状の外形を有する有底円筒で収容容器１０を水平並びに７個収納した放射性物質収納容器１０１に対し、同等の外径Ｔ１とし、外周面から収納部２１に至る最も薄い壁厚を同等の厚さＴ２として構成したうえで、水平断面内での収容容器１０の収納量を水平並び９個に増すことが可能になる。しかも、この放射性物質収納容器１’によれば、図７（ａ）に示すように、各収容容器１０の円柱形状の外周面に沿う内側面２１ａと、隣接する各収容容器１０の間に向けて突出した側部突起２１ｂとが収納部２１の側壁に形成されていることで、断面正方形状の外形に沿う正方形状の内側面を有して収容容器１０を水平並びに９個収納する収納部２１’が形成された構成に対し、外周面から収納部２１に至る壁厚の厚さＴ２の部分に加え、壁厚がさらに厚く形成された厚さＴ３，Ｔ４の部分を有することになる。このため、容器本体２’の外径を外側に拡大して大型化することなく、放射性物質から放出される放射線（特に、γ線）を遮蔽するに十分な壁厚に増強することが可能になる。
【００５３】
さらに、この放射性物質収納容器１’によれば、内側面２１ａと側部突起２１ｂとが収納部２１の側壁に同一材料により継目なく一塊として形成されていることで、壁厚が厚くなって剛性が向上する。ここで、本実施の形態の放射性物質収納容器１’が、９ｍの高さから収容容器１０の中心線１０ａを水平として落下した場合を想定する。通常、この種の放射性物質収納容器１’には、上下端部に木材などを充填した大外径の緩衝体（図示せず）が装着されているので、落下衝撃を緩和できるが、最初に緩衝体が地面に衝突するため、放射性物質収納容器１’には、上下両端を支点とした曲げが発生する。この点、本実施の形態の放射性物質収納容器１’によれば、内側面２１ａと側部突起２１ｂとが収納部２１の側壁に同一材料により継目なく一塊として形成され、壁厚が厚くなって剛性が向上されていることから、曲げに耐え得る十分な断面剛性に増強することが可能になる。
【００５４】
しかも、本実施の形態の放射性物質収納容器１’が、９ｍの高さから収容容器１０の中心線１０ａを傾斜した方向に落下した場合（例えば蓋３’側を下方に向けてから落下した場合）であっても、内側面２１ａと側部突起２１ｂとが収納部２１の側壁に同一材料により継目なく一塊として形成され、壁厚が厚くなって剛性が向上されていることから、十分な断面剛性に増強することが可能になる。
【００５５】
しかも、本実施の形態の放射性物質収納容器１’が、１ｍの高さから収容容器１０の中心線１０ａを水平として、垂直に立てた直径１５０ｍｍの鋼棒上に落下した場合であっても、内側面２１ａと側部突起２１ｂとが収納部２１の側壁に同一材料により継目なく一塊として形成され、壁厚が厚くなって剛性が向上されていることから、断面正方形状とした容器本体２’の外形の平坦部の変形に耐え得る十分な断面剛性に増強することが可能になる。なお、断面正方形状の各辺に沿って並べて収納された各収容容器１０により、この収容容器１０が断面正方形状とした容器本体２’の外形の平坦部に直交する方向に重なることで、当該平坦部の変形に耐え得ることが可能になる。
【００５６】
さらにまた、この放射性物質収納容器１’によれば、各収容容器１０の円柱形状の外周面に沿う内側面２１ａと、隣接する各収容容器１０の間に向けて突出した側部突起２１ｂとが収納部２１の側壁に形成されていることで、収容容器１０を収納部２１内で保持することが可能である。ここで、本実施の形態の放射性物質収納容器１’が、落下した場合、地面への衝突に際し、収納部２１に収納された収容容器１０が「跳ね上がり」の現象を起こすことで収容容器１０に大きな衝撃荷重が与えられる。この点、本実施の形態の放射性物質収納容器１’によれば、内側面２１ａと、側部突起２１ｂとで収納した収容容器１０を収納部２１内で保持することから、放射性物質収納容器１’の落下時などに、収納部２１内で収容容器１０が跳ね上がったり、大きく位置がずれたりする事態を最小限に抑制して安定した状態を維持し、収容容器１０の荷重による放射性物質収納容器１’の損傷を抑えることが可能になる。
【００５７】
この結果、実施の形態２の放射性物質収納容器１’によれば、外径を大型化することなく放射性物質の収納効率を高めつつ、収納効率を高めたことに伴う必要十分な遮蔽能力および強度を確保することが可能になる。
【００５８】
また、実施の形態２の放射性物質収納容器１’では、容器本体２’は、収納部２１の底壁に、各収容容器１０に囲まれた領域で各収容容器１０の間に向けて突出した底部突起２１ｃが形成されている。
【００５９】
この放射性物質収納容器１’によれば、通常、放射性物質を収容する収容容器１０は、遠隔で容器本体２’に対して吊り下ろすが、この際、底部突起２１ｃによって収容容器１０を位置決めすることが可能になる。しかも、底部突起２１ｃは、収納部２１の底壁から突出して容器本体２’の壁厚を増すものであるから、収容容器１０の位置決めに加え、放射性物質から放出される放射線（特に、γ線）を遮蔽するに十分な壁厚に増強することが可能になる。
【００６０】
また、実施の形態２の放射性物質収納容器１’では、蓋３’は、その内壁に、各収容容器１０の円柱形状の上方外周面に沿う上方内側面３３ａと、隣接する各収容容器１０の間に向けて突出した上方側部突起３３ｂとを有する凹部３３が形成されている。
【００６１】
この放射性物質収納容器１’によれば、凹部３３により、収容容器１０を収納部２１内でさらに保持することが可能である。この結果、放射性物質収納容器１’の落下時などに、収納部２１内で収容容器１０が跳ね上がったり、大きく位置がずれたりする事態をさらに抑制して安定した状態を維持し、収容容器１０の荷重による放射性物質収納容器１’の損傷をより抑えることが可能になる。しかも、蓋３’の凹部３３が収容容器１０の上方部を覆う構成であるから、実施の形態１の放射性物質収納容器１と比較して、放射性物質収納容器１’の全長（収容容器１０の中心線１０ａの延在方向寸法）を短くして小型化を図ることが可能になる。
【００６２】
また、実施の形態２の放射性物質収納容器１’では、蓋３’は、凹部３３内に、各収容容器１０に囲まれた領域で各収容容器１０の間に向けて突出した上部突起３３ｃが形成されている。
【００６３】
この放射性物質収納容器１’によれば、上部突起３３ｃにより、収容容器１０を収納部２１内でさらに保持することが可能である。この結果、放射性物質収納容器１’の落下時などに、収納部２１内で収容容器１０が跳ね上がったり、大きく位置がずれたりする事態をさらに抑制して安定した状態を維持し、収容容器１０の荷重による放射性物質収納容器１’の損傷をより抑えることが可能になる。しかも、上部突起３３ｃは、蓋３’の内壁から突出して蓋３’の壁厚を増すものであるから、収容容器１０の保持に加え、放射性物質から放出される放射線（特に、γ線）を遮蔽するに十分な壁厚に増強することが可能になる。
【００６４】
なお、実施の形態２の放射性物質収納容器１’では、各収容容器１０の円柱形状の外周面に沿う内側面２１ａと、隣接する各収容容器１０の間に向けて突出した側部突起２１ｂとが収納部２１の側壁に形成されている。このため、収納した収容容器１０と収納部２１の側壁との相対する面積を大きくできるので、収容容器１０に収容した放射性物質の熱を、放射性物質収納容器１’の外部に放出除去することが可能になる。しかも、内側面２１ａと側部突起２１ｂとが収納部２１の側壁に同一材料により継目なく一塊として形成されているので、容器本体２’での熱伝導が良好である。
【００６５】
なお、実施の形態２の放射性物質収納容器１’において、内側面２１ａおよび側部突起２１ｂは、必ずしも収納部２１の全長（収容容器１０の中心線１０ａの延在方向）に亘って設けられていなくてもよく、遮蔽能力および強度を確保して必要に応じた箇所に設ければよい。
【産業上の利用可能性】
【００６６】
以上のように、本発明に係る放射性物質収納容器は、外径を大型化することなく放射性物質の収納効率を高めつつ、遮蔽能力および強度を確保することに適している。
【符号の説明】
【００６７】
１，１’  放射性物質収納容器
２，２’  容器本体
２１  収納部
２１ａ  内側面
２１ｂ  側部突起
２１ｃ  底部突起
２２  開口部
２３  雌ネジ穴
３，３’  蓋
３１  穴
３２  凸部
３３  凹部
３３ａ  上方内側面
３３ｂ  上方側部突起
３３ｃ  上部突起
４  ボルト
１０  収容容器
１０ａ  中心線
【図１】
2011043381.tif 000003
【図２】
2011043381.tif 000004
【図３】
2011043381.tif 000005
【図４】
2011043381.tif 000006
【図５】
2011043381.tif 000007
【図６】
2011043381.tif 000008
【図７】
2011043381.tif 000009
【図８】
2011043381.tif 000010
【図９】
2011043381.tif 000011
【図１０】
2011043381.tif 000012